(57)【要約】  【課題】  使用者自らが簡便にマッサージを行えるマッサージ具を提供する。  【解決手段】  対象部位をマッサージする手動のマッサージ具であって、変動部と、前記変動部に接続された複数の作用部と、を含み、前記作用部は、転動することができ、且つ、初期状態である第１状態から、前記作用部同士の間隔が変動した第２状態に移行できるマッサージ具。【選択図】  図１
2019103666.tif 000002
【特許請求の範囲】
【請求項１】
対象部位をマッサージする手動のマッサージ具であって、
変動部と、
前記変動部に接続された複数の作用部と、を含み、
前記作用部は、
転動することができ、且つ、
初期状態である第１状態から、前記作用部同士の間隔が変動した第２状態に移行できる
ことを特徴とするマッサージ具。
【請求項２】
請求項１に記載のマッサージ具であって、
前記作用部は、前記変動部の弾性変形によって、対象部位上で転動できる
ことを特徴とするマッサージ具。
【請求項３】
請求項２に記載のマッサージ具であって、
少なくとも、向かい合うように対向して配置される一組の前記作用部を含み、
前記作用部は、転動しながら、前記作用部同士の間隔が狭まる前記第２状態に移行できる
ことを特徴とするマッサージ具。
【請求項４】
請求項２に記載のマッサージ具であって、
少なくとも、向かい合うように対向して配置される一組の前記作用部を含み、
前記作用部は、転動しながら、前記作用部同士の間隔が広がる前記第２状態に移行できる
ことを特徴とするマッサージ具。
【請求項５】
請求項２〜４のいずれか一項に記載のマッサージ具であって、
前記作用部は、リング状又はローラ状である
ことを特徴とするマッサージ具。
【請求項６】
請求項２〜４のいずれか一項に記載のマッサージ具であって、
前記作用部は、球体状である
ことを特徴とするマッサージ具。
【請求項７】
請求項２〜４のいずれか一項に記載のマッサージ具であって、
前記作用部は、楕円体状である
ことを特徴とするマッサージ具。
【請求項８】
請求項２〜４のいずれか一項に記載のマッサージ具であって、
前記作用部には、凹状模様及び凸状模様の一方又は双方が設けられている
ことを特徴とするマッサージ具。
【請求項９】
請求項１に記載のマッサージ具であって、
前記変動部には、前記第２状態に移行するための引きばね又は圧縮ばねが設けられている
ことを特徴とするマッサージ具。
【請求項１０】
請求項１〜９のいずれか一項に記載のマッサージ具であって、
把持部を含み、
前記作用部の回転軸心は、前記把持部の中心線に近接する方向に傾斜している
ことを特徴とするマッサージ具。
【請求項１１】
請求項１〜１０のいずれか一項に記載のマッサージ具であって、
前記変動部には、対象部位との接触を避けるための拡張空間が設けられている
ことを特徴とするマッサージ具。
【請求項１２】
請求項１〜１１のいずれか一項に記載のマッサージ具であって、
前記作用部には、皮膚に当接した状態で皮膚と電気的回路を形成する皮膚通電用の回路が設けられている
ことを特徴とするマッサージ具。
【請求項１３】
請求項１に記載のマッサージ具であって、
前記変動部は転動することができ、
前記作用部は、前記変動部の転動に伴って転動する
ことを特徴とするマッサージ具。
【請求項１４】
請求項１３に記載のマッサージ具であって、
前記第２状態では、前記変動部の弾性変形によって、隣同士の前記作用部の先端の間隔が狭まる
ことを特徴とするマッサージ具。
【請求項１５】
請求項１３又は１４に記載のマッサージ具であって、
前記変動部は、ローラ状である
ことを特徴とするマッサージ具。
【請求項１６】
請求項１５に記載のマッサージ具であって、
前記作用部は、前記変動部の軸方向に沿って前記変動部にリブ状に設けられている
ことを特徴とするマッサージ具。
【請求項１７】
請求項１５に記載のマッサージ具であって、
前記作用部は、前記変動部の周方向に沿って前記変動部にリブ状に設けられている
ことを特徴とするマッサージ具。
【請求項１８】
請求項１５に記載のマッサージ具であって、
前記作用部は、前記変動部の軸方向及び周方向に沿って前記変動部にイボ状に設けられている
ことを特徴とするマッサージ具。
【請求項１９】
請求項１３又は１４に記載のマッサージ具であって、
前記変動部は、球状であり、
前記作用部は、前記変動部にイボ状に設けられている
ことを特徴とするマッサージ具。
【請求項２０】
請求項１３〜１９のいずれか一項に記載のマッサージ具であって、
前記変動部に接続される把持部を含む
ことを特徴とするマッサージ具。
【請求項２１】
請求項１３〜２０のいずれか一項に記載のマッサージ具であって、
前記変動部には、皮膚に当接した状態で皮膚と電気的回路を形成する皮膚通電用の回路が設けられている
ことを特徴とするマッサージ具。
【発明の詳細な説明】
【技術分野】
【０００１】
本発明は、マッサージ具に関する。
【背景技術】
【０００２】
従来、マッサージ具として、手の指と掌で握れる程度の大きさに成形した円柱状の表面に凹凸を設けた掌握部と当該掌握部の両端部を円錐状、半球状、または凹凸状に形成したことを特徴とする押圧・マッサージ器具が提案されている（特許文献１を参照）。
【先行技術文献】
【特許文献】
【０００３】
【特許文献１】登録実用新案第３０２６８６４号公報
【発明の概要】
【発明が解決しようとする課題】
【０００４】
一方、近年、美容や健康に対する意識が高まり、家で使用者自らが手軽にマッサージを行えるマッサージ具への需要が増加している。
【０００５】
しかし、上記マッサージ具は、つぼや経路、手の指や掌等を押圧してマッサージを行うものであるため、つぼや経路の正確な位置に関する知識が少ない一般の使用者には使いにくい。
【０００６】
また、上記マッサージ具は、皮膚や皮下組織、筋肉等に対しても直接マッサージを行いたいという需要には応えられていない。
【０００７】
本発明は、上記課題の少なくとも一つを解決するためのものであり、使用者自らが簡便にマッサージを行えるマッサージ具を提供することを目的とする。
【課題を解決するための手段】
【０００８】
上記課題を解決するために、本発明の一態様に係るマッサージ具は、変動部と、前記変動部に接続された複数の作用部と、を含み、前記作用部は、転動することができ、且つ、初期状態である第１状態から、前記作用部同士の間隔が変動した第２状態に移行できる。
【０００９】
また、前記作用部は、前記変動部の弾性変形によって、対象部位上で転動できるものでもよい。
【００１０】
また、少なくとも、向かい合うように対向して配置される一組の前記作用部を含み、前記作用部は、転動しながら、前記作用部同士の間隔が狭まる前記第２状態に移行できるものでもよい。
【００１１】
また、少なくとも、向かい合うように対向して配置される一組の前記作用部を含み、前記作用部は、転動しながら、前記作用部同士の間隔が広がる前記第２状態に移行できるものでもよい。
【００１２】
また、前記作用部は、リング状又はローラ状であってもよい。
【００１３】
また、前記作用部は、球体状であってもよい。
【００１４】
また、前記作用部は、楕円体状であってもよい。
【００１５】
また、前記作用部には、凹状模様及び凸状模様の一方又は双方が設けられていてもよい。
【００１６】
また、前記変動部には、前記第２状態に移行するための引きばね又は圧縮ばねが設けられていてもよい。
【００１７】
また、把持部を含み、前記作用部の回転軸心は、前記把持部の中心線に近接する方向に傾斜していてもよい。
【００１８】
また、前記変動部には、対象部位との接触を避けるための拡張空間が設けられていてもよい。
【００１９】
また、前記作用部には、皮膚に当接した状態で皮膚と電気的回路を形成する皮膚通電用の回路が設けられていてもよい。
【００２０】
また、前記変動部は転動することができ、前記作用部は、前記変動部の転動に伴って転動してもよい。
【００２１】
また、前記第２状態では、前記変動部の弾性変形によって、隣同士の前記作用部の先端の間隔が狭まるものでもよい。
【００２２】
また、前記変動部は、ローラ状であってもよい。
【００２３】
また、前記作用部は、前記変動部の軸方向に沿って前記変動部にリブ状に設けられていてもよい。
【００２４】
また、前記作用部は、前記変動部の周方向に沿って前記変動部にリブ状に設けられていてもよい。
【００２５】
また、前記作用部は、前記変動部の軸方向及び周方向に沿って前記変動部にイボ状に設けられていてもよい。
【００２６】
また、前記変動部は、球状であり、前記作用部は、前記変動部にイボ状に設けられていてもよい。
【００２７】
また、前記変動部に接続される把持部を含んでもよい。
【００２８】
また、前記変動部には、皮膚に当接した状態で皮膚と電気的回路を形成する皮膚通電用の回路が設けられていてもよい。
【発明の効果】
【００２９】
本発明によれば、使用者自らが簡便にマッサージを行えるマッサージ具を提供することができる。
【図面の簡単な説明】
【００３０】
【図１】実施形態１に係るマッサージ具を示す図で、図１（ａ）は第１状態を示す図、図１（ｂ）は作用部の間隔が狭まる第２状態を示す図である。
【図２】実施形態１の変形例１に係るマッサージ具を示す図である。
【図３】実施形態１の変形例２に係るマッサージ具の作用部を示す図で、図３（ａ）、図３（ｂ）、図３（ｃ）は、作用部の外周領域の模式図ある。
【図４】実施形態１の変形例３に係るマッサージ具を示す図で、図４（ａ）は底面図、図４（ｂ）は斜視図である。図５は、
【図５】実施形態１の変形例３に係るマッサージ具の使用状態を示す図である。
【図６】実施形態２に係るマッサージ具を示す図で、図６（ａ）は第１状態を示す側面図、図６（ｂ）は第２状態を示す側面図である。
【図７】実施形態３に係るマッサージ具を示す図で、図７（ａ）はその一例、図７（ｂ）は他の例、図７（ｃ）はその使用状態を示す図である。
【図８】実施形態４に係るマッサージ具を示す図で、図８（ａ）は第１状態を示す図、図８（ｂ）は作用部の間隔が広がる第２状態を示す図、図８（ｃ）は使用状態の一例を示す図である。
【図９】実施形態４に係るマッサージ具の他の例を示す図である。
【図１０】実施形態５に係るマッサージ具を示す図である。
【図１１】実施形態５の変形例１に係るマッサージ具を示す図である。
【図１２】実施形態６に係るマッサージ具を示す図で、図１２（ａ）は第１状態を示す図、図１２（ｂ）は作用部の間隔が狭まる第２状態を示す図である。
【図１３】実施形態６に係るマッサージ具の他の例を示す図である。
【図１４】実施形態６の変形例１に係るマッサージ具を示す図である。
【図１５】実施形態６の変形例１に係るマッサージ具の作用部を示す図で、図１５（ａ）は図１４の一部拡大図で、図１５（ｂ）は作用部の使用状態を説明するための図である。
【図１６】実施形態６の変形例２に係るマッサージ具を示す図で、図１６（ａ）はその斜視図、図１６（ｂ）はその使用状態を示す図である。
【図１７】実施形態６の変形例３に係るマッサージ具を示す図で、図１７（ａ）は第１状態を示す図、図１７（ｂ）は作用部の間隔が狭まる第２状態を示す図である。
【発明を実施するための形態】
【００３１】
以下、図面を参照して本願に係るマッサージ具の実施形態の例を説明する。なお、以下の説明では、同様な構成については、同様な符号を付してその説明を省略することがある。
【００３２】
＜実施形態１＞
図１は実施形態１に係るマッサージ具１を示す模式図である。マッサージ具１は、変動部２と、少なくとも１組の作用部３と、把持部４とを含む。本実施形態では、向かい合うように対向して配置される２つの作用部３で構成される１組の作用部３を含む例を説明するが、本願の趣旨に反しない限り、作用部の数は適宜設定できる。マッサージ具１は、初期状態でもある第１状態から、作用部３同士の間隔が狭まる第２状態に移行できる。図１（ａ）は第１状態を示す図、図１（ｂ）は作用部の間隔が狭まる第２状態を示す図である。
【００３３】
変動部２は、作用部３同士の間隔を変動させる部分である。本実施形態では、変動部２は、変動面２１を有し、室部２２を含んで中空に形成される。一例として、変動部２は、図示のように、変動面である作用部３側の底面（「変動本体部」ともいう）２１と、頂面２３と、底面２１と頂面２３との間に形成される室部２２とを含む。変動部２は、さらに、作用部３と接続するための腕部２４を含む。なお、図示しないが、底面２１及び頂面２３の一方又は双方には、室部２２の気圧を調整するための貫通穴が設けられてもよい。
【００３４】
図１（ａ）に示すように、底面２１は、作用部３側に膨らむ湾曲面である。底面２１は、図示しないが、底面視において、例えば、円形状、楕円形状等に形成される。底面２１は、シリコン樹脂、ゴム等の弾性材料やポリプロピレン、ナイロン、塩化ビニール、ポリエチレンなどの合成樹脂で形成され、後述のように、押されると作用部３の反対側に凹み、室部２２が小さくなる。
【００３５】
頂面２３は、底面２１を覆う部分である。頂面２３は、底面２１と周縁部同士で隙間なく接続する。頂面２３は、平らな面であってもよいし、図示のように、中央部が高く、周縁部が低い傾斜面であってもよい。頂面２３は、底面２１に対応した形状であり、平面視、例えば、円形状、楕円形状等である。頂面２３は、ＡＢＳ樹脂、ポリプロピレン、ナイロン、塩化ビニール、ポリエチレンなどの合成樹脂や底面２１と同様のシリコン樹脂、ゴム等の弾性材料で形成されてもよいし、底面２１と弾性率が異なるシリコン樹脂、ゴム等の弾性材料で形成されてもよい。なお、頂面２３は、弾性材料以外の材料で形成されてもよい。
【００３６】
腕部２４は、変動部２と作用部３とを連結する部分である。腕部２４は、変動部２から作用部方向に突出するように形成される。腕部２４には、腕部本体に対して略直角に枝状に伸びる図示しない支持部が設けられる。
【００３７】
腕部２４の数は、作用部３の数と同数である。また、腕部２４の形状ないし大きさも作用部３の形状ないし大きさと対応している。
【００３８】
作用部３は、マッサージの対象部位に当接してマッサージする部分である。作用部３は、リング状ないし車輪状、ローラ状であり、変動部２に回転可能に接続される。作用部３は、弾性材料で形成されてもよいし、弾性材料以外の材料、例えばセラミックス、金属、プラスチック樹脂、木材等で形成されてもよい。
【００３９】
作用部３は、軸部３１を有し、この軸部３１によって腕部２４の支持部に回転可能に接続される。なお、ここでは、作用部３が腕部２４に回転可能に接続できればよく、その構成を特に限定するものではない。例えば、軸部３１と腕部２４の支持部とが、一方に雄ねじ、他方に雌ねじが設けられて螺合することで接続されてもよい。また、軸部３１につば状頭付軸部３１が用いられ、作用部３が腕部２４から抜け出さないようにしてもよい。また、作用部３が円滑に回転するように軸受が設けられてもよい。
【００４０】
作用部３は、１組のうちの一部又は全部が、それぞれ大きさが異なってもいてもよい。例えば、半径が異なるリング状や車輪状、ローラ状のものであってもよい。または、横幅が異なるリング状や車輪状、ローラ状のものであってもよい。
【００４１】
例えば、１組の作用部３のうちの一部又は全部が、その半径がそれぞれ異なる場合、腕部２４における軸心部２４１の高さ（対象部位との距離）も異なる。これによって、複数の作用部３は、その最底部が略同一平面上に位置するように保持される。
【００４２】
把持部４は、使用者がマッサージ具１を把持するための部分である。把持部４は、変動部２の頂面２３の略中央に設けられる。
【００４３】
マッサージ具１は、片手で扱うことができる大きさであることが望ましい。マッサージ具１の大きさや、駆動（作動）時の押下力は、太もも、おなか、顔、首などの使用部位に応じて設定できる。例えば、変動部２の最大幅は、３０ｍｍ〜２００ｍｍであり、より好ましくは、６０ｍｍ〜１５０ｍｍである。また、例えば、作用部３の直径ないし最大幅は、３ｍｍ〜５０ｍｍであり、より好ましくは、６ｍｍ〜４０ｍｍである。押下力は、作用部３を有効な範囲で駆動するために把持部４を押す力で、押下力は１００ｇ〜３０００ｇであり、より好ましくは、１５０ｇ〜２０００ｇである。
【００４４】
マッサージ具１は、使用状態では、まず、図１（ａ）に示す初期状態でもある第１状態にある。すなわち、使用者が把持部４を把持し、作用部３が対象部位ｓに当てられた状態にある。
【００４５】
この状態で、使用者が図１（ｂ）に示す矢印方向（対象部位ｓ方向）に把持部４を押すと、マッサージ具１は、図１（ｂ）に示す第２状態に移行する。すなわち、変動部２の底面２１が、作用部３の反対方向（室部２２が小さくなる方向）に凹み、変動部２に接続された２つ（１組）の作用部３が回転しながら互いに近づく（接近する）。そうすると、対象部位の皮膚等の組織が２つの作用部３の間に引き寄せられる（引き込まれる）。
【００４６】
使用者が把持部４を押さなくなると、変動部２の底面２１は元の状態に戻り、作用部３が回転しながら互いに遠ざかる（離隔する）。そうすると、作用部３の間に引き寄せられた皮膚等の組織が放される。
【００４７】
このように、マッサージ具１が第１状態から第２状態に移行し、さらに第１状態に戻ることを繰り返すことで、対象部位が引き寄せられたり、放されたりして揉まれてマッサージされる。また、作用部３が第１状態から第２状態へ回転しながら移動するため、対象部位は軽く摩擦されるマッサージも同時に施される。
【００４８】
なお、使用者が把持部４を押す力を段階的に緩めて、作動部３同士の距離を段階的に調整し、対象部位を引き寄せる度合いを適宜調整してもよい。さらには、例えば、腕部２４の長さを調節する機構や、腕部２４の位置を調節する機構などを設けて、作用部３同士の対象部位ｓを掴む力を調整できるようにしてもよい。
【００４９】
＜実施形態１の変形例１＞
図２は、実施形態１の変形例１に係るマッサージ具１ｇを示す図である。マッサージ具１ｇは、固定作用部３ｇを含む。
【００５０】
マッサージ具１ｇは、１組の作用部を含み、そのうちの一方は上記のマッサージ具における作用部３と同様のものであり、ここでは、同じ符号を付し、移動作用部３とする。他方の作用部３ｇは、回転できない構成となっており、ここでは、固定作用部３ｇとする。
【００５１】
固定作用部３ｇは、回転できない構成となっており、図示の第２状態では、使用者が矢印方向（対象部位方向）に把持部４を押すと、マッサージ具１ｇは、固定作用部３ｇが対象部位ｓを捉え、移動作用部３が固定作用部３ｇ側に回転しながら近付いてくる。
【００５２】
固定作用部３ｇは、変動部２に固定して接続されていればよく、その構成は特に限定されない。変動部２に一体に形成されてもよいし、別体に形成されてから取り付けられてもよい。また、固定作用部３ｇの形状も特に限定されない。図示のように、軸部３１を含まず、輪郭のみが移動作用部３と同形状であってもよいし、移動作用部３とは全く異なる形状であってもよい。固定作用部３ｇには、例えば、金属、プラスチック、木材等の素材や、ゴム等の弾性素材が用いられる。
【００５３】
なお、図示しないが、あたかも腕部２４を引き伸ばしたように、腕部２４をその最底部が移動作用部３の最底部と同じ高さとなるように形成して、固定作用部３ｇとしてもよい。
【００５４】
＜実施形態１の変形例２＞
図３は、実施形態１の変形例２に係るマッサージ具の作用部３ｈを示す図である。ここでは、作用部３ｈがローラ状（リング状、車輪状）である例を説明する。図３（ａ）、図３（ｂ）、図３（ｃ）は、作用部３ｈの外周領域の模式図である。作用部３ｈは、その表面に皮膚通電回路が形成される点が上記マッサージ具と異なる。
【００５５】
作用部３ｈの表面３２ｈには、正極と、負極と、正極と負極とを接続する導線とを含む皮膚通電用の回路が形成される。皮膚通電用の回路は、皮膚に当接した状態で皮膚と電気的回路を形成するものであればよく、その他の構成は限定されない。
【００５６】
一例として、作用部３ｈはセラミックス素材で形成され、その表面３２ｈにニッケルメッキがされる。その上に、図３（ａ）に示すように、皮膚と接触する外周面を含む領域である外周領域３２０ｈに、金メッキされて、正極（＋電極）としての金メッキ層３２１ｈが形成され、所定の距離を置いて酸化亜鉛のメッキがされて、負極（−電極）としての酸化亜鉛層３２２ｈが形成される。また、金メッキ層３２１ｈと酸化亜鉛層３２２ｈとの間には、導線として接続部３２３ｈが設けられる。接続部３２３ｈの表側には、これを覆うように絶縁部３２４ｈが設けられる。絶縁部３２４ｈは、エポキシ樹脂による被覆層で構成されてもよいし、テープを貼ることで構成されてもよい。
【００５７】
従来技術において、繊維芽細胞が生理活性化し自己増殖するのに好適な電界強度領域として、０．００１〜０．３Ｖ／ｃｍなる適合電界領域が存在すること、培養性環境に在る繊維芽細胞に、０．００１〜０．３Ｖ／ｃｍの強度の電界を持続的に付与することによって、当該電界付与の通電領域の繊維芽細胞を生理活性化させ、プロテイン産生速度を向上せしめることが開示されている。また、最近、皮膚に所定の電流を与えることで生体電流を整えることができると言われている。
【００５８】
ここでは、作用部３ｈに皮膚通電用の回路を備えることで、使用時に皮膚と電気的回路を形成し、皮膚に刺激を与えるようにする。例えば、正極と負極の皮膚に当たる面積と距離を割り出し、０．００１〜０．３Ｖ／ｃｍの強度の電界を付与する。
【００５９】
また、接続部３２３ｈの導線に抵抗を持たせてもよいし、導線間に抵抗や半導体、電子部品を組み合わせた電子回路入れることで、発生電圧や電流量を調整してもよい。
【００６０】
なお、これらは、異種金属接触腐食や局部電池とも呼ばれ標準電極電位から、正極はカソード部品とも呼ばれ、例えば金（ＡＵ＋）、原子量１９７．２、標準電極電位は＋１．５０ボルト、負極はアノード部品とも呼ばれ、例えば、アルミニウム（ＡＬ＋＋＋）原子量２６．９７標準電極電位は−１．３３７ボルト、亜鉛（Ｚｎ＋＋）原子量６５．３８、標準電極電位−０．７６２ボルトとなる。作用部上に形成しやすく、肌に障害のない金属を適宜選択することが有用である。
【００６１】
なお、例えば、作用部をアルミニウムとして、正極に例えば金を使用した場合に作用部をそのまま利用したアルミニウムの負極とすることで、新たな負極を形成することが不要とすることができる。また、正極を例えば、銀（Ａｇ＋）原子量１０７．８８、標準電極電位は＋０．７９９や、銅（Ｃｕ＋＋）原子量６３．５４、標準電極電位＋０．３４５を作用部として構成することで、正極を作用部で賄うことで正電極箔を形成することを不要とすることもできる。また、これらの各部位の金属に適度に他の金属を混ぜて合金とすることで、正負極間の電位差を調整することができる。例えば歯科材料として金パラジウム合金（金１２％、銀４６％、パラジウム２０％、銅２０％，その他）などがある。これらの合金の割合を変える事で電位差を変更してもよい。
【００６２】
なお、複数の正極と複数の負極を、正極と負極が所定距離を置いて交互になるように配置してもよい。また、正極と負極を構成する素材は、電位差を生じさせる素材であればよく、限定されるものではない。
【００６３】
なお、作用部３ｈは、図３（ｂ）に示すように、外周領域３２０ｈの略中央に溝が形成されて溝の両側がリブ状に突出するように形成されてもよい。このように構成して、金メッキ層３２１ｈ及び酸化亜鉛層３２２ｈを両側のリブ状部分にそれぞれ設け、中央の溝部分に接続部３２３ｈを設ければ、接続部３２３ｈが皮膚と接触しにくくなり、絶縁部３２４ｈを設ける必要がなくなる。
【００６４】
作用部３ｈは、図３（ｃ）に示すように、皮膚との接触面が平面状ではなく、皮膚側に突出する形状であってもよい。この場合、皮膚に与える感触が変わり、局部に加わる押圧力も強まる。
【００６５】
＜実施形態１の変形例３＞
図４は、実施形態１の変形例３のマッサージ具１ｂを示す図で、図４（ａ）は底面図、図４（ｂ）は斜視図である。図５は、マッサージ具１ｂの使用状態を示す図である。
【００６６】
マッサージ具１ｂは、変動部２ｂと、互いに対向するように配置される１組の作用部３ｂとを含む。ここでは、３つの作用部３ｂを含む例を説明するが、本願の趣旨に反しない限り、作用部の数は適宜設定できる。マッサージ具１ｂは、初期状態でもある第１状態から、作用部３ｂ同士の間隔が狭まる第２状態に移行できる。
【００６７】
変動部２ｂは、作用部３ｂ同士の間隔を変動させる部分である。変動部２ｂは、作用部３側に位置する底面である変動面（「変動本体部」ともいう）２１ｂと、底面２１ｂを覆う頂面２３ｂを含む。底面２１ｂと頂面２３ｂとの間には室部が形成される。変動部２ｂは、さらに、作用部３ｂと接続するための腕部２４ｂを含む。なお、図示しないが、底面２１ｂ及び頂面２３ｂの一方又は双方には、室部の気圧を調整するための貫通穴が設けられてもよい。
【００６８】
図４に示すように、ここでは、底面２１ｂは、平面状（平らな面）に形成され、底面視、円形状に形成される。底面２１ｂは、シリコン樹脂、ゴム等の弾性材料やポリプロピレン、ナイロン、塩化ビニール、ポリエチレン等の柔軟性のある合成樹脂で形成され、押されると作用部３ｂの反対側に凹む。なお、底面２１ｂは、底面視楕円形等に形成されてもよい。
【００６９】
頂面２３ｂは、底面２１ｂと周縁部同士で隙間なく接続される。一例として、図示のように、頂面２３ｂは中央部が高く、周縁部が低い椀状に形成される。頂面２３ｂは、底面２１よりも硬い材料で形成される。頂面２３ｂには、シリコン樹脂、ゴム、プラスチック樹脂等の材料が用いられる。頂面２３ｂは、後述のように、把持部としても機能する。
【００７０】
腕部２４ｂは、作用部３を連結する部分であり、作用部３の数と対応している。腕部２４ｂは、底面２１ｂから突出するように形成される。図示しないが、腕部２４ｂには、作用部３ｂと接続するための支持部が設けられる。
【００７１】
作用部３ｂは、マッサージの対象部位に当接してマッサージする部分である。作用部３ｂは、例えば球体状である。作用部３には、金属、木材、プラスチック樹脂やゴム等の素材を用いることができ、２以上の素材を用いてもよい。例えば、ゴム素材で金属素材部分の一部又は全部を覆うようにしてもよい。作用部３ｂは、半径方向に図示しない軸部ないし支持受部を有して、腕部２４ｂに回転可能に接続される。
【００７２】
作用部３ｂは、その表面が凹凸を有するものでもよい。例えば、図示のように、その表面に凹凸のある模様が施されてもよい。表面に凹凸を設けることで、対象部位に多様な触感、圧力の変化をもたらし、多彩な感触をもたらすことができる。
【００７３】
マッサージ具１ｂは、初期状態である第１状態では、図４に示すように、変動部２ｂの変動面２１ｂが平面状である。図５に示すように、変動部２ｂの頂面２３ｂを把持し、これを押すと、底面２１ｂが作用部３ｂの反対方向に凹んで、腕部２４ｂが互いに集まる方向に倒れる。そうすると、作用部３ｂが回転しながら互いに近づき、対象部位の皮膚等の組織が作用部３の間に引き寄せられる。
【００７４】
使用者が頂面２３ｂを押さなくなると、変動部２ｂの底面２１ｂが元の状態に戻り、作用部３ｂが回転しながら互いに遠ざかる。そうすると、作用部３ｂの間に引き寄せられた皮膚等の組織が放される。
【００７５】
このように、マッサージ具１ｂが第１状態から第２状態に移行し、さらに第１状態に戻ることを繰り返すことで、対象部位が引き寄せられたり、放されたりして揉まれてマッサージされる。また、作用部３ｂが第１状態から第２状態へ回転しながら移動するため、対象部位は軽く摩擦されるマッサージも同時に施される。
【００７６】
＜実施形態２＞
図６は、実施形態２に係るマッサージ具１ａを示す図で、図６（ａ）は第１状態を示す側面図、図６（ｂ）は第２状態を示す側面図である。マッサージ具１ａは、変動部２ａと、少なくとも１組の作用部３ａと、把持部４ａとを含む。なお、以下では、１組（２つ）の作用部３ａを含む例を説明する。マッサージ具１ａは、初期状態でもある第１状態から、作用部同士の間隔が広がる第２状態に移行できる。
【００７７】
変動部２ａは、作用部３ａ同士の間隔を変動させる部分である。本実施形態では、変動部２ａは、略コの字形状に形成され、横設部（「変動本体部」ともいう）２１ａと、立設部２４ａを含む。変動部２ａは、弾性変形が可能であり、力が加わると撓み、力が除かれると元の状態に戻る。
【００７８】
横設部２１ａは、長尺状の部材であり、図６（ａ）に示すように、横長に略水平に設けられる。横設部２１ａには、金属やプラスチック樹脂等の材料が用いられる。
【００７９】
横設部２１ａの略中央には把持部４ａと接続するための把持接続部２１１ａが設けられる。一例として、把持接続部２１１ａは、横設部２１ａと一体に形成され、略中央に貫通穴を有する。この貫通穴にねじなどを挿通し、把持部４ａのねじ穴と螺合させることで、変動部２ａが把持部４ａに接続される。
【００８０】
なお、変動部２ａの把持部４ａへの接続は、上記のように固定式であってもよいし、可動式であってもよい。図示しないが、可動式とし、例えばスプリング等の弾性部材を用いて、元の位置に戻る構成としてもよい。
【００８１】
立設部２４ａは、縦長に設けられ、横設部２１ａと所定の角度、例えば略直角となるように設けられる。一例として、立設部２４ａは、横設部２１ａの両端から略直角に作用部３ａ方向に延びるように設けられる。立設部２４ａは、作用部３ａ側の端部に作用部３ａと接続するための支持部２４１ａが設けられる。
【００８２】
作用部３ａは、対象部位に当接してマッサージする部分である。作用部３ａは、リング状ないし車輪状、ローラ状であり、互いに対向するように設けられる。作用部３ａは、軸部３１ａを有し、この軸部３１ａと立設部２４ａの支持部２４１ａによって立設部２４ａに回転可能に接続される。なお、ここでは、作用部３ａが立設部２４ａに回転可能に接続できればよく、その構成を特に限定するものではない。また、作用部３ａが円滑に回転するように軸受などが設けられてもよい。作用部３ａは、弾性材料で形成されてもよいし、弾性材料以外の材料、例えばプラスチック樹脂、木材等で形成されてもよい。
【００８３】
把持部４ａは、マッサージ具１ａを把持するための部分である。把持部４ａは、一例として棒状に形成され、変動部２ａの把持接続部２１１ａに略直角に接続される。
【００８４】
マッサージ具１ａは、使用状態では、まず、図６（ａ）に示す初期状態でもある第１状態にある。すなわち、使用者が把持部４ａを把持し、作用部３ａが対象部位に当てられた状態にある。
【００８５】
この状態で、使用者が図６（ｂ）に示すように、対象部位方向に把持部４ａを押すと、マッサージ具１ａは、図６（ｂ）に示す第２状態に移行する。すなわち、変動部２の横設部２１ａが撓み、立設部２４ａが広がり、変動部２ａに接続された２つの作用部３ａが回転しながら互いに遠ざかる（離隔する）。そうすると、対象部位の皮膚等の組織が２つの作用部３ａの間で引き伸ばされる。
【００８６】
使用者が把持部４ａを押さなくなると、変動部２ａの横設部２１ａが元の状態に戻り、作用部３ａが回転しながら互いに近づく。そうすると、引き伸ばされた皮膚等の組織が作用部３の間に引き込まれる。
【００８７】
このように、マッサージ具１ａが第１状態から第２状態に移行し、さらに第１状態に戻ることを繰り返すことで、対象部位が引き延ばされられたり、引き込まれたりして、揉まれてマッサージされる。また、作用部３ａが第１状態から第２状態へ回転しながら移動するため、対象部位は軽く摩擦されるマッサージも同時に施される。
【００８８】
なお、マッサージ具１ａは、２組の４つの作用部３ａを含んでもよい。例えば、マッサージ具１ａは、把持部４ａが２つの棒状部とこれらを連結する連結部を含んでコの字状に構成される。このように構成することで、それぞれの棒状部に変動部２ａを接続し、それぞれの変動部２ａにそれぞれ１組の作用部３ａを接続して、２組の作用部３ａを設けることができる。
【００８９】
＜実施形態３＞
図７は実施形態３に係るマッサージ具１ｉを示す図で、図７（ａ）はマッサージ具１ｉの一例、図７（ｂ）はマッサージ具１ｉの他の例、図７（ｃ）はマッサージ具１ｉの使用状態を示す図である。マッサージ具１ｉは、変動部２ｉ及び作用部３ｉが上記マッサージ具と異なる。
【００９０】
マッサージ具１ｉは、一対の変動部２ｉを含む。それぞれの変動部２ｉは所定角度をなす２つの立設部を含む。変動部２ｉには、弾性変形可能な素材が用いられる。後述のように、マッサージ具１ｉは、変動部２ｉが撓み、変動部２ｉの２つの設部のなす角度が変動することで、初期状態である第１状態から、作用部同士の間隔が広がる第２状態に移行する。
【００９１】
変動部２ｉは、把持部４ｉに接続される第１立設部２５ｉと、作用部３ｉが接続される第２立設部２４ｉとを含む。第１立設部２５ｉは、把持部４ｉから、変動部２ｉ同士の間隔が広がる外側方向に斜めに突出するように設けられる。図示のように、好ましくは、第１立設部２５ｉは傾斜棒状である。
【００９２】
第２立設部２４ｉは、本実施形態では、直線棒状である。第２立設部２４ｉには、作用部３ｉと接続するための支持部２４１ｉが設けられる。
【００９３】
本実施形態では、第２立設部２４ｉと第１立設部２５ｉとが所定の角度をなすように一体に形成され、変動部２ｉは、屈曲棒状に形成される。
【００９４】
作用部３ｉは、軸部３１ｉを有し、この軸部３１ｉによって第２立設部２４ｉの支持部２４１ｉに回転可能に接続される。図示のように、ここでは、それぞれの第２立設部２４ｉには複数の支持部２４１ｉが設けられ、複数の作用部３ｉが接続される（図７（ａ）では２つ、図７（ｂ）では３つ）。複数の作用部３ｉは、図７（ａ）のように大きさが同様でもよいし、図７（ｂ）のように大きさが異なってもよい。
【００９５】
図示のように、好ましくは、変動部２ｉ及び作用部３ｉは、把持部４ｉの中心線Ｙに対して左右対称であるが、その一方又は双方が左右異なってもよい。左右対称である場合、作用部対、即ち、左右の変動部２ｉに接続されている作用部３ｉのうち同じ位置の左右の作用部３ｉ同士で構成されるものが、図７（ｂ）に示すように、皮膚側に近づくほど小さいものであってもよい。
【００９６】
作用部３ｉが皮膚ｓに当接している状態で把持部４ｉを対象部位ｓ方向に押すと、一対の変動部２ｉが撓んで変動部同士の間隔が広がり、これによって一対の変動部２ｉに接続された作用部３ｉが回転しながら互いに遠ざかる方向に移動する。これによって、対象部位ｓが引き伸ばされる。そして、把持部４ｉを押す力を減らしたり、解除したりすると、図７（ｃ）に示すように、対象部位ｓが対となっている作用部３ｉ（作用部対）の間に引き込まれる。このようにして、対象部位ｓがマッサージされる。
【００９７】
マッサージ具１ｉは、おなかを揉んだり、手や足の筋肉を揉むのに用いることができる。
【００９８】
＜実施形態４＞
図８及び図９は実施形態４に係るマッサージ具１ｊを示す図である。マッサージ具１ｊは、一対の変動部２ｊと、互いに対向するように一対の変動部２ｊにそれぞれ設けられる一対の作用部３ｊと、把持部４ｊとを含む。マッサージ具１ｊは、初期状態でもある第１状態から、作用部３ｊ同士の間隔が広がる第２状態に移行できる。図８（ａ）は第１状態を示す図、図８（ｂ）は作用部の間隔が広がる第２状態を示す図、図８（ｃ）は使用状態の一例を示す図で、図９はマッサージ具１ｊの他の例を示す図である。
【００９９】
変動部２ｊは、作用部３ｊ同士の間隔を変動させる部分である。変動部２ｊは所定角度をなす２つの立設部を含む。変動部２ｊには、弾性変形可能な素材が用いられる。
【０１００】
変動部２ｊの第１立設部２５ｊは、把持部４ｊに接続される部分である。第１立設部２５ｊは、把持部４ｊから直線状に突出するように設けられる。図示のように、好ましくは、第１立設部２５ｊは直線棒状である。
【０１０１】
第２立設部２４ｊは、作用部３ｊが接続される部分である。本実施形態では、第２立設部２４ｊは、屈曲棒状に形成される。より具体的には、第２立設部２４ｊは、他方の変動部２ｊに近づく方向（内側）に傾斜する傾斜棒状の第１段部２４２ｊと、第１段部２４２ｊと向かい合うように傾斜する傾斜棒状の第３段部２４４ｊと、第１段部２４２ｊと第３段部２４４ｊとの間の第２段部２４３ｊとを含む。言い換えれば、第２立設部２４ｊは、中央部分が他方の変動部２ｊから離反する方向に凸状に形成され、この凸状の内側に後述のように引き込まれた対象部位ｓを収容するための拡張空間ｕを構成する。
【０１０２】
拡張空間ｕは、例えば、図８（ａ）に示すように、第１立設部２５ｊから段差ｎ分だけ拡張された空間であり、段差ｎは、例えば、作用部３ｊの重心と作用部３ｊの第２立設部２４ｊとの接続端との垂直方向の距離とすることができる。
【０１０３】
作用部３ｊは、図８に示すように略球状に形成されてもよいし、図９に示すように略楕円球状に形成されてもよい。作用部３ｊは、第２立設部２４ｊの第１段部２４２ｊに回転可能に接続される。作用部３ｊは、第１段部２４２ｊの長手方向の中心線を軸心Ｘとして図示の矢印Ｐ方向に回転可能であればよく、その構成は特に限定するものではなく、従来技術を用いることができる。
【０１０４】
なお、対峙している（向かい合っている）２つの作用部３ｊの軸心は、必ずしも対称でなくてもよく、互いにずれていることで、作用部３ｊが皮膚ｓに対して、ずれながらくわえ込むことができる。また、皮膚ｓをくわえ込む方向は体に対して垂直方向でなくてもよく、斜め方向に押し付けて皮膚ｓをくわえ込む動作をすることにより、作用部が回転しながら広がり皮膚ｓをくわえ込むようになる。
【０１０５】
また、ここでは、対峙している作用部３ｊが１組であるが、複数組であってもよい。
【０１０６】
また、ここでは、変動部２ｊが所定角度をなす２つの立設部を含むが、角度を構成せず、直線状の先に作用部を設けてもよい。その際、軸方向に先長の（軸方向に長い）楕円球状（ラグビーボール状）の作用部を設けるようにしてもよい。また、所定角度は９０度（直角）であってもよい。所定角度は０度から９０度の範囲内とすることができる。
【０１０７】
把持部４ｊは、２つの把持接続部４１ｊを含む。変動部２ｊの第１立設部２５ｊは、この把持接続部４１ｊに接続される。好ましくは、把持接続部４１ｊは図示しない受入孔を有し、この受入孔に第１立設部２５ｊが挿入され、固定される。
【０１０８】
作用部３ｊが回転しながら対象部位上を移動するように、把持部４ｊを対象部位ｓに押し当てながら引くと、作用部３ｊが内側に傾斜しているため、対象部位ｓは２つの作用部３ｊの間に引き込まれる。そうすると、作用部３ｊに互いの間隔が広がる方向（外側）に押す力が与えられ、変動部２ｊ、とりわけ第２立設部２４ｊが変形し、作用部３ｊが、間隔が広がる方向（Ｍ２＞Ｍ１）に移動して、図８（ｂ）に示す第２状態となる。
【０１０９】
なお、マッサージ具１ｊは、拡張空間ｕが形成されているため、引き込まれた対象部位が変動部２ｊに接触することはない。これによって、お腹や手の平、足などを揉むとき、好適である。
【０１１０】
＜実施形態５＞
図１０は実施形態５に係るマッサージ具１ｋを示す図である。マッサージ具１ｋは、１対の変動部２ｋと、互いに対向するように１対の変動部２ｋにそれぞれ設けられる１対の作用部３ｊと、把持部４ｋとを含む。作用部３ｊは上記と同様であるため、説明を省略する。
【０１１１】
変動部２ｋは、所定角度をなす２つの立設部を含む。変動部２ｋは、弾性素材を用いず、引きばね２６ｋとストッパ部２７ｋを備える点が上記実施形態４と異なる。
【０１１２】
変動部２ｋの第１立設部２５ｋには、根元部２５１ｋが設けられる。根元部２５１ｋには後述の把持接続部４１ｋと接続するための構成、例えば、接続孔が設けられる。例えば、接続孔に雌ねじが設けられ、一対の変動部２ｋの根元部２５１ｋが重ねて把持接続部４１ｋにボルト等で螺合されることで、一対の変動部２ｋが回転可能に把持部４ｋに接続される。
【０１１３】
引きばね２６ｋは、２つの変動部２ｋの第１立設部２５ｋを跨るように設けられる。より具体的には、引きばね２６ｋは、一端が一方の変動部２ｋの第１立設部２５ｋに固定され、他端が他方の変動部２ｋの第１立設部２５ｋに固定される。引きばね２６ｋの固定手段には、従来技術を用いることができ、特に限定されない。
【０１１４】
ストッパ部２７ｋは、重ねられた２つの根元部２５１ｋに設けられる。ストッパ部２７ｋは、引き伸ばされた引きばね２６ｋを、その引き伸ばされた状態に保持するためのものであればよく、その構成は限定されず、従来技術を用いることができる。
【０１１５】
把持部４ｋは、把持接続部４１ｋを含む。変動部２ｋの２つの根元部２５１ｋは、上記のように、この把持接続部４１ｋに接続される。
【０１１６】
作用部３ｊが回転しながら対象部位ｓ上を滑りながら移動するように、把持部４ｊを対象部位ｓに押し当てながら引くと、作用部３ｊが内側に傾斜しているため、対象部位は２つの作用部３ｊの間に引き込まれる。そうすると、作用部３ｊに作用部３ｊ同士の間隔が広がる方向（外側）に押す力が加わり、変動部２ｋの引きばね２６ｋが引き伸ばされ、作用部３ｊが、作用部３ｊ同士の間隔が広がる方向に移動して、第２状態に移行する。
【０１１７】
また、ストッパ部２７ｋによって、引き伸ばされた引きばね２６ｋをそのままの状態に保持して、第２状態を保持することもできる。
【０１１８】
なお、変動部２ｋには、弾性素材を用いてもよく、引きばね２６ｋと相まって、より柔軟に作動して揉み効果を高めるようにしてもよい。
【０１１９】
＜実施形態５の変形例１＞
図１１は、実施形態５の変形例１に係るマッサージ具１ｌを示す図である。マッサージ具１ｌは、１対の変動部２ｌが互いに交差し、圧縮ばね２６ｌが設けられる点が上記マッサージ具１ｋと異なる。
【０１２０】
変動部２ｌの第１立設部２５ｌは、屈曲棒状に形成され、１対の変動部２ｌの第１立設部２５ｌ同士が互いに交差している。より具体的には、第１立設部２５ｌは、直線棒状の第１段部２５２ｌと、他方の変動部２ｌの第１立設部に接近しこれと交差する傾斜棒状の第２段部２５３ｌとを含む。それぞれの第１立設部の第２段部２５３ｌには接続孔が設けられる。この接続孔によって２つの変動部２ｌが接続される。例えば、接続孔に雌ねじが設けられ、一対の変動部２ｌが重ねてボルト等で螺合されることで、一対の変動部２ｋが接続孔や接続ボルトなどで構成される接続部を中心に回転可能であり、把持部４ｋに接続される。
【０１２１】
これによって、図示のように、一対の変動部２ｌの第１立設部２５ｌは、第２段部２５３ｌが交差し、作用部３ｊがそれぞれ他方の把持部４ｌと同じ側に位置するようになる。
【０１２２】
圧縮ばね２６ｌは、２つの変動部２ｌの第１立設部２５ｌを跨るように設けられる。より具体的には、圧縮ばね２６ｌは、一端が一方の変動部２ｌの第１立設部２５ｌの第１段部２５２ｌに固定され、多端が他方の変動部２ｌの第１立設部２５ｌの第１段部２５２ｌに固定される。圧縮ばね２６ｌの固定手段は限定されず、従来技術を用いることができる。
【０１２３】
マッサージ具１ｌは一対の把持部４ｌを含む。それぞれの把持部４ｌは図示しない受入孔を有し、この受入孔に第１立設部２５ｌの第１段部２５２ｌが挿入され、固定される。把持部４ｌには、図示のように、手で把持する際に指が当接する位置を複数含む把持位置部４２ｌが設けられてもよい。例えば、把持位置部４２ｌは、把持位置４２１ｌ、４２２ｌ、４２３ｌを含むことができる。
【０１２４】
図示の矢印方向に把持部４ｌを握ると、圧縮ばね２６ｌが圧縮され、１対の変動部２ｌ同士の第２立設部２４ｌが広がり、一対の作用部３ｊ同士の間隔が広がって第２状態となる。把持部４ｌを握る力を解除すると、圧縮ばね２６ｌによって第２立設部２４ｌが元の状態である第１状態に戻る。これを繰り返すことで、対象部位ｓが作用部３ｊ同士の間に引き込まれたり、放されたりして、対象部位がマッサージされる。
【０１２５】
把持部４ｌを握る力は、把持位置部４２ｌにおける把持位置を変更することで調整できる。
【０１２６】
なお、変動部２ｌには、弾性素材を用いてもよく、圧縮ばね２６ｌと相まって、より柔軟に作動して揉み効果を高めるようにしてもよい。
【０１２７】
＜実施形態６＞
図１２は、実施形態６に係るマッサージ具１ｃを示す図である。マッサージ具１ｃは、変動部２ｃと、互いに対向して設けられる複数の作用部３ｃと、把持部４ｃと、回転部５ｃとを含む。マッサージ具１ｃは、初期状態でもある第１状態から、作用部３ｃ同士の間隔が狭まる第２状態に移行できる。図１２（ａ）は第１状態を示す図、図１２（ｂ）は作用部の間隔が狭まる第２状態を示す図である。
【０１２８】
変動部２ｃは、作用部３ｃ同士の間隔を変動させる部分である。本実施形態では、変動部２ｃは、図示のように、例えば、ローラ状ないし円筒状に形成される。変動部２ｃは、シリコン樹脂、ゴム等の弾性材料で形成され、後述のように、押されると作用部３ｃの反対側に凹む。
【０１２９】
作用部３ｃは、マッサージの対象部位に当接してマッサージする部分である。作用部３ｃは、変動部２ｃの本体部２１ｃにリブ状に設けられる。より具体的には、作用部３ｃは、変動部２ｃの本体部２１ｃの外周面に、軸心方向に沿ってリブ状に設けられる。作用部３ｃは、シリコン樹脂、ゴム等の弾性材料で形成される。
【０１３０】
作用部３ｃの数は、適宜設定することができ、作用部３ｃの軸方向の長さ及び変動部２ｃからの突出の高さも適宜設定できる。作用部３ｃは、隣接する一対毎に、軸方向の長さや突出の高さが異なってもよい。
【０１３１】
把持部４ｃは、略棒状に形成される。例えば、把持部４ｃの軸線は、変動部２ｃの軸線Ｙ上にある。
【０１３２】
回転部５ｃは、変動部２ｃを回転可能にする部分である。回転部５ｃは、例えば、変動部２ｃと把持部４ｃとの間に設けられ、変動部２ｃを把持部４ｃに回転可能に接続する。回転部５ｃは、変動部２ｃを、軸線Ｙを軸心として回転可能に保持するものであればよく、その構成は特に限定するものではなく、従来技術を用いることができる。
【０１３３】
マッサージ具１ｃは、使用状態では、まず、図１２（ａ）に示す初期状態でもある第１状態にある。すなわち、使用者が把持部４ｃを把持し、作用部３ｃが対象部位に当てられる状態にある。
【０１３４】
この状態で、使用者が把持部４ｃを持って変動部２ｃを対象部位に押すと、マッサージ具１ｃは、図１２（ｂ）に示す第２状態に移行する。すなわち、変動部２ｃが凹み、変動部２ｃの外周面に設けられた作用部３ｃ同士の先端が矢印方向に互いに近づく。そうすると、対象部位の皮膚等の組織が２つの作用部３ｃの間に引き寄せられる。
【０１３５】
使用者が変動部２ｃを押さなくなると、変動部２ｃが元の状態に戻り、作用部３ｃの先端が互いに遠ざかる。そうすると、作用部３ｃの間に引き寄せられた皮膚等の組織が放される。
【０１３６】
このように、マッサージ具１ｃが第１状態から第２状態に移行し、さらに第１状態に戻ることを繰り返すことで、対象部位が引き寄せられたり、放されたりして、揉まれてマッサージされる。
【０１３７】
また、マッサージ具１ｃは、変動部２ｃが回転可能であるため、作用部３ｃも変動部２ｃとともに回転し、対象部位が軽く摩擦されるマッサージも同時に施される。また、作用部３ｃの大きさが異なる場合は、強弱を付けながらマッサージすることができ、特に有効である。
【０１３８】
なお、マッサージ具１ｃは、２つの把持部４ｃを有し、２つの把持部４ｃの間に変動部及び作用部が設けられる構成であってもよい。このようなマッサージ具は、背中のマッサージ等に好適である。
【０１３９】
マッサージ具１ｃは、把持部４を設けない構成であってもよい。図１３は、マッサージ具１ｃの他の例を示す図であり、把持部４ｃを有しない構成を示すものである。このようなマッサージ具１ｃは、足のマッサージや背中のマッサージ等に好適である。
【０１４０】
なお、ここでは、ローラ状ないし円筒状の変動部２ｃを図示しているが、変動部２ｃは、中央部が膨らんだ太鼓形状や、断面が多角形状のものであってもよい。また、変動部２ｃは、球体や楕円体等の膨らみ形状のものが串状に複数繋がっているものであってもよい。
【０１４１】
なお、マッサージ具１ｃは、ローラ状ないし円筒状の変動部２ｃを例えばカーボンの粉末や金属の粉末を混入した材料で形成して導電性をもたせ、リブ状の作用部３ｃに交互に正極としての金メッキ層、負極としての亜鉛メッキ層を形成して、皮膚通電用の回路を備えてもよい。
【０１４２】
＜実施形態６の変形例１＞
図１４は実施形態６の変形例１に係るマッサージ具１ｄを示す図であり、図１５はマッサージ具１ｄの作用部３ｄを示す図で、図１５（ａ）は図１４の一部拡大図で、図１５（ｂ）は作用部３ｄの使用状態を説明するための図である。マッサージ具１ｄは、変動部２ｄと、複数の作用部３ｄと、把持部４ｄと、回転部５ｄとを含む。変動部２ｄ及び回転部５ｄは、上記変動部２ｃ及び回転部５ｃと同様であり、その説明を省略する。
【０１４３】
作用部３ｄは、図示のように、イボ状突起である。作用部３ｄは、変動部２ｄの外周面から突出するように設けられる。一例として、作用部３ｄは、四角形ないし角に丸みのある四角形の突起で、最大幅が２ｍｍ〜１５ｍｍ、より好ましくは、５ｍｍ〜１０ｍｍで、高さ（変動部からの突出高さ）が２ｍｍ〜１５ｍｍ、より好ましくは、５ｍｍ〜１０ｍｍである。
【０１４４】
把持部４ｄは、その先端に三股状に形成される把持接続部４１ｄを含む。把持接続部４１ｄは、一端が把持部４ｄに接続され、残りの２つの端部には２つの変動部２ｄが回転可能に接続される。
【０１４５】
マッサージ具１ｄは、使用状態では、まず、図１５（ｂ）の上図に示す初期状態でもある第１状態にある。この状態で、使用者が把持部４ｄを持って変動部２ｄを対象部位に押すと、マッサージ具１ｄは、図１５（ｂ）の下図に示す第２状態に移行する。すなわち、変動部２ｄが凹み、その外周面に設けられた作用部３ｄの同士の先端が互いに近づく。そうすると、対象部位の皮膚等の組織が２つの作用部３ｄの間に引き寄せられる。
【０１４６】
使用者が変動部２ｄを押さなくなると、変動部２ｄが元の状態に戻り、作用部３ｃの先端同士が互いに遠ざかる。そうすると、作用部３ｃの間に引き寄せられた皮膚等の組織が放される。
【０１４７】
このように、マッサージ具１ｄが第１状態から第２状態に移行し、さらに第１状態に戻ることを繰り返すことで、対象部位が引き寄せられたり、放されたりして、揉まれてマッサージされる。
【０１４８】
また、マッサージ具１ｄは、変動部２ｄが把持部４ｄに対して回転可能であるため、作用部３ｄも回転し、対象部位が軽く摩擦されるマッサージも同時に施される。
【０１４９】
また、マッサージ具１ｄは、２つの変動部を用いて所定の角度で対象部位を広範囲にマッサージすることができる。特に、腕や顔など、丸みのある対象部位に有効である。
【０１５０】
なお、ここでは、ローラ状ないし円筒状の変動部２ｄを図示しているが、変動部２ｄは、中央部が膨らんだ太鼓形状や、断面が多角形状のものであってもよい。また、変動部２ｄは、球体や楕円体等の膨らみ形状のものが串状に複数繋がっているものであってもよい。また、変動部２ｄの数は、２つ以上であってもよく、把持部４ｄの左右の端部にそれぞれ２つずつ並行に設けてもよい。また、変動部２ｄの太さや形状はそれぞれ異なってもよい。
【０１５１】
なお、マッサージ具１ｃは、ローラ状ないし円筒状の変動部２ｄを例えばカーボンの粉末や金属の粉末を混入した材料で形成して導電性をもたせ、交互に正極としての金メッキ層、負極としての亜鉛メッキ層を形成して、皮膚通電用の回路を備えてもよい。また、内部で電気接続してもよい。
【０１５２】
＜実施形態６の変形例２＞
図１６は、実施形態６の変形例２に係るマッサージ具１ｅを示す図で、図１６（ａ）はその斜視図、図１６（ｂ）はその使用状態を示す図である。マッサージ具１ｅは、把持部４ｅ及び回転部５ｅが上記把持部４ｃ及び回転部５ｃと同様であるため、その説明を省略する。
【０１５３】
変動部２ｅは、略球状ないし楕円球状、卵形状に形成される点を除き、上記変動部２ｃと同様である。
【０１５４】
作用部３ｅは、断面が略楕円形ないし円形の突起である点を除き、上記作用部３ｄと同様である。
【０１５５】
マッサージ具１ｅは、変動部２ｅが略球状ないし楕円球状、卵形状に形成され、作用部３ｅが、断面が略楕円形ないし円形の突起であるため、対象部位をよりやさしくマッサージすることができ、特に顔等の対象部位に有効である。
【０１５６】
＜実施形態６の変形例３＞
図１７は、実施形態６の変形例３に係るマッサージ具１ｆを示す図である。マッサージ具１ｆは、変動部２ｆと、複数の作用部３ｆと、把持部４ｆと、回転部５ｆとを含む。マッサージ具１ｆは、初期状態でもある第１状態から、作用部３ｆ同士の間隔が狭まる第２状態に移行できる。図１７（ａ）は第１状態を示す図、図１７（ｂ）は作用部の間隔が狭まる第２状態を示す図である。
【０１５７】
変動部２ｄは、作用部３ｃ同士の間隔を変動させる部分である。変動部２ｄは、上記変動部２ｃと同様であるため、その説明を省略する。
【０１５８】
作用部３ｆは、マッサージの対象部位に当接し、マッサージする部分である。作用部３ｆは、変動部２ｆの外周面にリブ状に設けられる。より具体的には、作用部３ｆは、変動部２ｆの外周面に、外周方向に沿ってリブ状に設けられる。作用部３ｆの数は、例えば２つである。
【０１５９】
把持部４ｆは、略くの字形状である点を除き、上記把持部４ｃと同様である。回転部５ｆは、上記回転部５ｃと同様であり、変動部２ｆを把持部４ｆの一端に回転可能に接続する。把持部４ｆがくの字形状であるため、変動部２ｆは、把持部４ｆと所定角度となるように接続される。
【０１６０】
マッサージ具１ｆは、使用状態では、まず、図１７（ａ）に示す初期状態でもある第１状態にある。すなわち、使用者が把持部４ｆを把持し、作用部３ｆが対象部位に当てられる状態にある。この状態で、使用者が把持部４ｆを持って変動部２ｆを対象部位に押すと、マッサージ具１ｆは、図１７（ｂ）に示す第２状態に移行する。すなわち、変動部２ｆが凹み、その外周面に設けられた作用部３ｆの先端同士が矢印方向に互いに近づく。そうすると、対象部位の皮膚等の組織が２つの作用部３ｆの間に引き寄せられる。
【０１６１】
使用者が変動部２ｆを押さなくなると、変動部２ｆは元の状態に戻り、作用部３ｆが互いに遠ざかる。そうすると、作用部３ｆの間に引き寄せられた皮膚等の組織が放される。このように、マッサージ具１ｆが第１状態から第２状態に移行し、さらに第１状態に戻ることを繰り返すことで、対象部位が引き寄せられたり、放されたりして、揉まれてマッサージされる。
【０１６２】
また、マッサージ具１ｆは、回転部５ｆを含むため、変動部２ｆが把持部４ｆに対して回転可能となり、作用部３ｆも変動部２ｆとともに回転するため、作用部３ｆを回転しながら行うと、対象部位が軽く摩擦されるマッサージも同時に施される。
【０１６３】
以上、本発明に係るマッサージ具の実施形態について説明したが、これらは本発明の実施形態の一例に過ぎず、本発明はこれらに限定されるものではない。本発明には、以上の各実施形態を組み合わせた形態（例えば、実施形態１の変形例２と他の変形例を組み合わせたもの）や、様々な変形例が含まれる。
【符号の説明】
【０１６４】
１、１ａ、１ｃ、１ｉ、１ｊ、１ｋ        マッサージ具
２、２ａ、２ｃ、２ｉ、２ｊ、２ｋ        変動部
２１、２１ａ、２１ｃ                    変動本体部
２４、２４ａ、２４ｉ、２４ｊ、２４ｋ    腕部（立設部、第１立設部）
２５ｉ、２５ｊ、２５ｋ                  第２立設部
２６ｋ、２６ｌ                          ばね（引きばね、圧縮ばね）
３、３ａ、３ｃ、３ｉ、３ｊ              作用部
４、４ａ、４ｃ、４ｉ、４ｊ、４ｋ        把持部
５ｃ                                    回転部
ｕ                                      拡張空間
【図１】
2019103666.tif 000003
【図２】
2019103666.tif 000004
【図３】
2019103666.tif 000005
【図４】
2019103666.tif 000006
【図５】
2019103666.tif 000007
【図６】
2019103666.tif 000008
【図７】
2019103666.tif 000009
【図８】
2019103666.tif 000010
【図９】
2019103666.tif 000011
【図１０】
2019103666.tif 000012
【図１１】
2019103666.tif 000013
【図１２】
2019103666.tif 000014
【図１３】
2019103666.tif 000015
【図１４】
2019103666.tif 000016
【図１５】
2019103666.tif 000017
【図１６】
2019103666.tif 000018
【図１７】
2019103666.tif 000019
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
対象部位をマッサージする手動のマッサージ具であって、
変動部と、
前記変動部に回転可能に接続された複数の作用部と、を含み、
前記変動部は、弾性材料で形成された変動面を含み、
複数の前記作用部は、向かい合うように対向して配置され、
前記作用部が対象部位に当接している状態で、前記変動部が対象部位方向に押されると、前記変動面が凹み、前記作用部は、回転しながら、初期状態である第１状態から、前記作用部同士の間隔が狭まる第２状態に移行できる
ことを特徴とするマッサージ具。
【請求項２】
対象部位をマッサージする手動のマッサージ具であって、
変動部と、
前記変動部に回転可能に接続された少なくとも一組の作用部と、を含み、
少なくとも一組の前記作用部は、向かい合うように対向して配置され、
前記作用部が対象部位に当接している状態で、前記変動部が対象部位方向に押されると、前記作用部は、回転しながら、初期状態である第１状態から、前記作用部同士の間隔が広がる第２状態に移行できる
ことを特徴とするマッサージ具。
【請求項３】
請求項１又は２に記載のマッサージ具であって、
前記作用部の軸方向は、前記変動部が押される方向と略垂直の方向である
ことを特徴とするマッサージ具。
【請求項４】
請求項３に記載のマッサージ具であって、
前記変動部は弾性変形が可能に形成され、
前記作用部が対象部位に当接している状態で、前記変動部が対象部位方向に押されると、前記変動部が弾性変形し、前記作用部が回転しながら前記第１状態から前記第２状態に移行できる
ことを特徴とするマッサージ具。
【請求項５】
請求項３又は４に記載のマッサージ具であって、
さらに、一端が前記変動部と接続する把持部を含み、
前記把持部を握って前記変動部を対象部位方向に押すと、前記変動部が弾性変形し、前記作用部が回転しながら前記第１状態から前記第２状態に移行できる
ことを特徴とするマッサージ具。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
対象部位をマッサージする手動のマッサージ具であって、
変動部と、
前記変動部に回転可能に接続された複数の作用部と、を含み、
前記変動部は、弾性材料で形成された変動面を含み、
複数の前記作用部は、向かい合うように対向して配置され、
前記作用部が対象部位に当接している状態で、前記変動部が対象部位方向に押されると、前記変動面が凹み、前記作用部は、回転しながら、初期状態である第１状態から、前記作用部同士の間隔が狭まる第２状態に移行できる
ことを特徴とするマッサージ具。